(57)【要約】      （修正有）【課題】既設のハウスに付加して利用することができる、地中熱を利用した農業ハウス空気循環システムを提供する。【解決手段】ハウス５内の空気を循環させる農業用ハウス空気循環システム１であって、ハウス５内に配した空気取り込み口２４と、ハウス５内に配した空気吹き出し口３４と、空気取り込み口２４および空気吹き出し口３４のそれぞれに連通し、ハウス５の外周の地中に埋設された埋設管１０と、空気を空気取り込み口２４から空気吹き出し口３４へ送り出す送風機４０とを備えている。【選択図】図１
2018078826.tif 000002
【特許請求の範囲】
【請求項１】
ハウス内の空気を循環させる農業用ハウス空気循環システムであって、
前記ハウス内に配した空気取り込み口と、前記ハウス内に配した空気吹き出し口と、前記空気取り込み口および前記空気吹き出し口のそれぞれに連通し、前記ハウスの外周の地中に埋設された埋設管と、空気を前記空気取り込み口から前記空気吹き出し口へ送り出す送風機とを備えていることを特徴とする農業用ハウス空気循環システム。
【請求項２】
請求項１において、
前記埋設管と連通するように地上へ突出し、前記ハウス内へ導入され、前記空気吹き出し口を有した複数の吹き出し管をさらに備えており、それらの吹き出し口が略同高さ位置に配されていることを特徴とする農業用ハウス内空気循環システム。
【請求項３】
請求項１または２において、
前記埋設管と連通するように地上へ突出し、前記ハウス内へ導入され、前記空気取り込み口を有した取り込み管をさらに備えており、
前記空気取り込み口は前記空気吹き出し口よりも高い位置に配されていることを特徴とする農業用ハウス空気循環システム。
【請求項４】
請求項１〜３のいずれか１項において、
前記吹き出し管は、前記空気吹き出し口の高さ位置が可変となる構造となっていることを特徴とする農業用ハウス空気循環システム。
【請求項５】
請求項１〜４のいずれか１項において、
前記送風機は風量調節機構を有していることを特徴とする農業用ハウス空気循環システム。
【請求項６】
請求項１〜５のいずれか１項において、
前記埋設管の長さを調節可能としたことを特徴とする農業用ハウス空気循環システム。
【発明の詳細な説明】
【技術分野】
【０００１】
本発明は、ハウス内の空気を循環させるようにした農業用ハウス空気循環システムに関する。
【背景技術】
【０００２】
従来、地中の埋設管による地中熱利用型の農業用ハウス空気循環システムが種々提案されている（たとえば、特許文献１参照）。この文献技術は、ハウス圃場内の地中に埋設管を配し、地中熱で暖められた安定した温度の埋設管内の空気をハウス内に循環させるようにしたものである。
【先行技術文献】
【特許文献】
【０００３】
【特許文献１】特開２００１−２１１７６３号公報
【発明の概要】
【発明が解決しようとする課題】
【０００４】
しかしながら、上記文献のシステムは、埋設管をハウス圃場内の地中に配するものであるから、ハウスを新設する場合には実施できるが、既設のハウスでは容易に実施することはできない。
【０００５】
本発明は、このような事情を考慮して提案されたもので、その目的は、既設のハウスに付加して利用することができる、地中熱を利用した農業ハウス空気循環システムを提供することにある。
【課題を解決するための手段】
【０００６】
上記目的を達成するため、本発明の農業用ハウス空気循環システムは、ハウス内の空気を循環させる農業用ハウス空気循環システムであって、前記ハウス内に配した空気取り込み口と、前記ハウス内に配した空気吹き出し口と、前記空気取り込み口および前記空気吹き出し口のそれぞれに連通し、前記ハウスの外周の地中に埋設された埋設管と、空気を前記空気取り込み口から前記空気吹き出し口へ送り出す送風機とを備えていることを特徴とする。
【発明の効果】
【０００７】
本発明に係る農業用ハウス空気循環システムによれば、上述の構成となっているため、既設のハウスに付加して利用することができる。
【図面の簡単な説明】
【０００８】
【図１】本発明の一実施形態に係る農業用ハウス空気循環システムを模式的に示した概略斜視図である。
【図２】（ａ）は、同農業用ハウス空気循環システムを模式的に示した概略斜視平面図、（ｂ）は、同農業用ハウス空気循環システムを模式的に示した概略縦断面図である。
【図３】（ａ）は、本発明の他の実施形態に係る農業用ハウス空気循環システムを模式的に示した概略正面図、（ｂ）は、発明の他の実施形態に係る農業用ハウス空気循環システムを模式的に示した概略平面図である。
【発明を実施するための形態】
【０００９】
以下に、本発明の実施の形態について添付図面にもとづいて説明する。まず、本実施形態に係る農業用ハウス空気循環システム１（以下、空気循環システム１という）の基本構成について説明する。
【００１０】
本空気循環システム１はハウス５内の空気を循環させるシステムである。本空気循環システム１は、ハウス５内に配した空気取り込み口２４と、ハウス５内に配した空気吹き出し口３４と、空気取り込み口２４および空気吹き出し口３４のそれぞれに連通し、ハウス５の外周の地中に埋設された埋設管１０とを備えている。本空気循環システム１はさらに、空気を空気取り込み口２４から空気吹き出し口３４へ効率よく送り出す送風機４０を備えている。
【００１１】
ここで、農業用のハウス５とは、果樹、野菜、観賞用植物などの作物の栽培のための、育成環境を形成するハウスである。ハウス５は、支持部材、複数のフレーム、被覆材（いずれも不図示）などで構成されている。
【００１２】
ついで、本空気循環システム１の詳細な構成および効果について、図１〜図３を参照しながら説明する。
【００１３】
図１は、一実施形態に係る空気循環システム１を模式的に示した概略斜視図である。この空気循環システム１の設置対象である農業用のハウス５は、地中に埋められた支持部材を土台としたものである。この支持部材に複数のフレームが取りつけられてハウス５全体の概略外形が形作られ、それらのフレームに透光性の被覆材が取りつけられることで、屋根、側壁、妻壁を備えたハウス５が構成される。
【００１４】
なお、図１および以下に説明する図２、図３には、支持部材、フレーム、被覆材を区別することなく、ハウス５の輪郭（外形）のみを図示した。また、図１では、地中に埋設される部分をハッチングで示した。
【００１５】
本空気循環システム１は、ハウス５の外周の地中に埋められた埋設管１０を有してなる。図１の例では、埋設管１０はハウス５の全周に埋設されている。埋設深さは、国内の場合、四季を通じて地中温が１５〜１７℃の範囲内で変動する１．５〜５ｍ程度であることが望ましい。埋設管１０の管径は限定されないが、後述するように、温度調節を可能としたものでは管径を考慮する必要性はあまりないため、取り扱いのしやすさを考慮して０．２ｍ程度とすることが望ましい。
【００１６】
埋設管１０には、空気をハウス５内より取り込むための取り込み管２０が連通、接続されている。たとえば本実施形態の例で示すように、埋設管１０はハウス５の短手辺縁部側に配された短手部分の中央から二股に分かれ周回部１３に至る形状となっており、その二股分岐部１２よりも上流側の上流部１１に取り込み管２０が接続されるようにすればよい。取り込み管２０は下部２２が埋設され、上部２１が地上に突出しており、上部２１の上端より折曲し端部に空気取り込み口２４を有した水平部２３がハウス５内に導入されている。このように、取り込み管２０より取り込まれた空気は、上流部１１を通って二股に分かれ周回部１３の全体に行き渡るようになっている。
【００１７】
また、埋設管１０の周回部１３には、空気をハウス５内に吹き出すための複数の吹き出し管３０が連通、接続されている。各吹き出し管３０は下部３２が埋設され、上部３１が地上に突出しており、上部３１の上端より折曲し端部に空気吹き出し口３４を有した水平部３３がハウス５内に導入されている。
【００１８】
埋設管１０、取り込み管２０および吹き出し管３０は、たとえばポリ塩化ビニル製のものを好適に使用することができるが、その他の合成樹脂製のものや金属製のものであってもよい。これらの管は、複数の管を継手を用いて接続し、適宜な長さ、適宜な形状に配設すればよい。
【００１９】
また、空気を空気取り込み口２４から空気吹き出し口３４へ送り出すための風量調節機構付き送風機４０（ファン）が取りつけてある。本実施形態の例では、図１に示すように、送風機４０は取り込み管２０の上部２１に取りつけてあるが、他の部位に取りつけてあってもよい。
【００２０】
本実施形態の例では、図２（ａ）に示すように、取り込み管２０（空気取り込み口２４）はハウス５の長手方向の端部に配されている。また、６つの吹き出し管３０（空気吹き出し口３４）は、ハウス５の両長手辺縁部のそれぞれにおおむね等間隔に、ハウス５内の作物７の位置に対応するように配されている。
【００２１】
また、図２（ｂ）に示すように、複数の空気吹き出し口３４はいずれも、おおむねハウス５内に生育される作物７の高さ位置に合致するように、略同高さ位置に配されている。空気取り込み口２４は、これらの空気吹き出し口３４よりも高い位置に配されている。
【００２２】
以上に説明したように、ハウス５内の空気を循環させるための管の一部が埋設されているため、外気にくらべて四季を通じて安定した地中熱を利用でき、１年間を通してハウス５内の温度を平準化することができる。その結果、作物７の安定的な生産が可能となる。また、寒冷地への導入も可能となる。さらに、ハウス５内の温度の変化を小さくできるので、ハウス５内の設備機器（不図示）への温度ストレスを軽減でき、設備機器の長寿命化、保守の軽減化など、コストの低減化にもつながる。また、従来の農業用ハウスで用いていた側窓やカーテン、換気扇、外気温センサーなども不要となり得、合理化につながる。さらに、本実施形態の空気循環システム１は埋設管１０をハウス５の外周に設ける構成であるため、既設のハウス５にも簡単に付設することができる。
【００２３】
また、本実施形態の空気循環システム１では、空気をハウス５内の上層部から取り込んで、それよりも低い下層部に吹き出すようにしてあるため、ハウス５内において空気を循環しやすくでき、ハウス５内の温度を均一にすることができる。
【００２４】
なお、空気取り込み口２４をハウス５内の下層部に配し、空気吹き出し口３４を上層部に配してもよいが、本例のように、空気吹き出し口２４を作物７の高さに合わせて下層部に配することが作物７を適正に生育するうえで望ましい。また、作物７の量や栽培位置に合わせて複数の空気吹き出し口３４から空気が吹き出されるようにしてあるため、ハウス５内の栽培位置によらず、作物７の均一な生育が望める。
【００２５】
空気吹き出し口３４の高さは、作物７に合わせて変えられるようにすることが望ましい。たとえば、図３（ａ）（ｂ）のように、径の異なる複数の管３１ａを伸縮自在に接いでなる伸縮管を吹き出し管３０の上部３１に用いて、空気吹き出し口３４の高さ位置を調整できるようにしてもよい。
【００２６】
また、本実施形態の空気循環システム１で用いる送風機４０は風量調節機構を有しているため、時間当たりの空気循環量を変化させることができ、ハウス５の容積や作物７の種類、量に合わせてハウス５内の温度を調節することができる。
【００２７】
このような送風機４０の温度調節機構に代えて、または送風機４０の温度調節機構に付加して、埋設管１０の長さで温度調節ができるようにしてもよい。図３（ｂ）は、図２（ａ）に図示したものにくらべ上流部１１を短くした例である。このように埋設管１０を短くすれば温度変化を小さくでき、また埋設管１０を長くすれば温度変化を大きくすることができる。また、取り込み管２０や吹き出し管３０の長さを変えることで温度の微調整を行ってもよい。
【００２８】
埋設管１０の長さ調節は、複数の管を継手を用いて接続するものであれば、簡易に適宜な長さにすることができる。また、埋設管１０を蛇腹状のもので構成して、それを伸縮させて長さ調節するようにしてもよい。特に、上流部１１を蛇腹状の管で構成すれば長さ調節がしやすい。
【００２９】
本空気循環システム１について、外気温が３０℃の場合および１０℃の場合について、同一のハウス５において、埋設管１０の長さやその埋設深さを異ならせて、空気吹き出し口３４でのハウス内温度を計測する試験を行った。また埋設管１０の径は０．２ｍのものを用いた。
【００３０】
いずれの場合も、（１）埋設管１０の長さ１８ｍ、埋設深さ１．５ｍ、（２）埋設管１０の長さ１８ｍ、埋設深さ３．０ｍ、（３）埋設管１０の長さ３６ｍ、埋設深さ１．５ｍ、（４）埋設管１０の長さ３６ｍ、埋設深さ３．０ｍの４種の条件で試験を行った。
【００３１】
外気温が３０℃の場合、（４）の条件では空気吹き出し口３４でのハウス内温度が２５℃以下になったが、それ以外は２５℃まで下がらなかった。
外気温が１０℃の場合、（２）（３）（４）の条件では空気吹き出し口３４でのハウス内温度が１５℃に到達したが、（１）では１５℃まで上がらなかった。なかでも（４）の条件では１６℃に到達した。
【００３２】
以上の試験は、風量を１０ｍ３／ｈ〜２４０ｍ３／ｈの範囲内で種々異ならせて実施した。
外気温が３０℃の場合、風量が７０ｍ３／ｈ〜２４０ｍ３／ｈのときに特に良い結果が得られた。
外気温が１０℃の場合、風量が９０ｍ３／ｈ〜２４０ｍ３／ｈのときに特に良い結果が得られた。
共通して良い結果が得られたのは、風量が９０ｍ３／ｈ〜１９０ｍ３／ｈの場合であった。
【符号の説明】
【００３３】
１            農業用ハウス空気循環システム
５            ハウス
１０          埋設管
２０          取り込み管
２４          空気取り込み口
３０          吹き出し管
３４          空気吹き出し口
４０          （風量調節機構付き）の送風機
【図１】
2018078826.tif 000003
【図２】
2018078826.tif 000004
【図３】
2018078826.tif 000005